(57)【特許請求の範囲】
【請求項１】
口部から肩部を介して繋がる胴部の下端に、底部が一体に繋がり、当該底部が縮径しながら接地面に繋がるヒール部を形成する合成樹脂製容器であって、
ヒール部に、胴部側に向かって突出するように折り返しながら底部周方向に延在する、複数の折り返し段部を、接地面に向かって間隔を空けて設けるとともに、当該折り返し段部の相互間に横リブを形成し、
前記折り返し段部は、底部周方向に延在する横長部分を有し、当該横長部分の端部をそれぞれ接地面に向かって屈曲させることで、当該端部の端縁を接地面に指向させてなるものであることを特徴とする合成樹脂製容器。
【請求項２】
請求項１において、胴部が、複数の胴部側壁により多角柱形状に形作られていることを特徴とする合成樹脂製容器。
【発明の詳細な説明】
【技術分野】
【０００１】
本発明は、底部に加わる荷重に対する耐性に優れて、高い保形性を有する合成樹脂製容器に関するものである。
【背景技術】
【０００２】
合成樹脂製ボトル（以下、「ボトル」）に内容物を充填するライン（以下、「充填ライン」）では、ボトルが互いに押し合いながら密集した状態で搬送されるため、ボトル同士の接触やコンベアの両側に配置されたガイド部との接触によって、ボトル胴部の底部側には、ボトル側面方向に荷重がかかる為、いわゆる、ラインプレッシャが加わり、これがボトルを薄肉化した場合、ボトルの潰れ変形（座屈変形）を招くことは既知である。このため、出願人は、胴部と底部との間に段部を形成することで、ボトル径方向の剛性を向上させるものを提案済みである（例えば、特許文献１参照）。
【先行技術文献】
【特許文献】
【０００３】
【特許文献１】特開２００８−３０８１７号公報
【発明の概要】
【発明が解決しようとする課題】
【０００４】
ところで、上述したような合成樹脂製容器は、一般的に、底部が胴部下端から縮径しながら接地面に繋がることでヒール部を形成する。
【０００５】
しかしながら、こうしたヒール部は、樹脂使用量の削減や重量の軽減を目的に薄肉化を図った場合、大きな荷重が加わると、座屈する等して、永久変形に繋がることがあった。しかも、こうした大きな荷重は、上述のとおり、充填ライン時において生じ易い。
【０００６】
本発明の目的とするところは、ヒール部の保形性を向上させることで、美観に優れた新規な合成樹脂製容器を提供することにある。
【課題を解決するための手段】
【０００７】
本発明は、口部から肩部を介して繋がる胴部の下端に、底部が一体に繋がり、当該底部が縮径しながら接地面に繋がるヒール部を形成する合成樹脂製容器であって、
ヒール部に、胴部側に向かって突出するように折り返しながら底部周方向に延在する、複数の折り返し段部を、接地面に向かって間隔を空けて設けるとともに、当該折り返し段部の相互間に横リブを形成し、
前記折り返し段部は、底部周方向に延在する横長部分を有し、当該横長部分の端部をそれぞれ接地面に向かって屈曲させることで、当該端部の端縁を接地面に指向させてなるものであることを特徴とするものである。本発明では、胴部は、複数の胴部側壁により多角柱形状に形作ることができる。
【発明の効果】
【０００９】
本発明によれば、ヒール部に、胴部側に向かって突出するように折り返しながら底部周方向に延在する、複数の折り返し段部を、接地面に向かって間隔を空けて設けたことから、大きな荷重が加わることによって、ヒール部に永久変形を生じさせるような場合でも、当該ヒール部に設けた複数の折り返し段部の相互間が横リブ（高剛性部）として機能すると共に、当該折り返し段部がそれぞれ、ヒール部の変形に対する復元力（ばね効果）を発揮する。このため、ヒール部に生じる変形は、永久変形することなく復元される。
【００１０】
従って、本発明によれば、ヒール部の保形性が向上することで、美観に優れた新規な合成樹脂製容器を提供することができる。
【図面の簡単な説明】
【００１１】
【図１】本発明の合成樹脂製容器の一形態である、ＰＥＴ（ポリエチレンテレフタレート）ボトル１を示す正面図である。
【図２】同形態のＰＥＴボトル１を示す側面図である。
【図３】(a)は、同形態のＰＥＴボトル１に係る、ヒール部の要部を拡大して示す要部正面図であり、(b)は、(a)のＸ−Ｘ断面図である。
【発明を実施するための形態】
【００１２】
以下、図面を参照して、本発明の一形態である、角形ボトルを詳細に説明する。
【００１３】
ＰＥＴボトル１は、内容物を充填及び排出する口部２、この口部２から拡径する肩部３、この肩部３と共に内容物の充填空間を形成する胴部４及び底部５を一体に備える。ＰＥＴボトル１は、図示せぬプリフォームを二軸延伸ブロー成形してなる。
【００１４】
胴部４は、幅の広い２つの胴部側壁（以下、「長手幅側壁」）４ａと、長手幅側壁４ａよりも幅の狭い２つの胴部側壁（以下、「短手幅側壁」）４ｂをそれぞれ、胴部軸線（ボトル軸線Ｏ）を取り囲むように対向配置すると共に、長手幅側壁４ａと短手幅側壁４ｂとの間を胴部軸線周りに、長手幅側壁４ａ及び短手幅側壁４ｂよりも幅の狭い、柱状の胴部角側壁（以下、「角部側壁」）４ｃにより一体に繋げることで、四隅が切り欠かれたほぼ矩形の八角柱形状に形作られている。
【００１５】
また、胴部４は、ウェスト部４ｗを介して上側胴部と下側胴部とに区画されている。また、下側胴部の下端と底部５との間には、ボトル軸線Ｏ周りに沿って全周に亘って環状の段部６が設けられている。このため、底部５は、環状の段部６の下端に一体に繋がり、ボトル軸線Ｏに沿って縮径しながら環状の接地面５ａに繋がるヒール部５ｂを形成する。
【００１６】
角部側壁４ｃに繋がるヒール部５ｂには、図３(a)等に示すように、胴部４側に向かって突出するように折り返しながら底部周方向に延在する、複数の折り返し段部７が設けられている。折り返し段部７はそれぞれ、図３(b)等に示すように、接地面５ａに向かって縮径するように間隔を空けて設けられている。これにより、ヒール部５ｂに設けた複数の折り返し段部７の相互間には、横リブ（高剛性部）８が形作られる。
【００１７】
また、折り返し段部７は、図３(a)に示すように、底部周方向（ボトル軸線Ｏ周り）に延在する横長部分７ａを有し、この横長部分７ａの端部７ｂをそれぞれ接地面５ａに向かって屈曲させることで、当該端部７ｂの端縁７ｃをそれぞれ、接地面５ａに指向させてなる。これにより、折り返し段部７は、ヒール部５ｂの表面上をコの字形に延在し、その相互間の横リブ８もヒール部５ｂの表面上をコの字形に延在する。また、端部７ｂは、図１等に示すように、接地面５ａに向かうに従って底部周方向に拡大しながら延在する。これにより、ヒール部５ｂに対してボトル軸線Ｏに沿った圧縮力や伸び力が生じても、その力が解放されると、ヒール部５ｂの変形に対する復元力（ばね効果）が発揮される。このため、ヒール部５ｂに生じる変形は、永久変形することなく復元される。
【００１８】
上述のとおり、本形態によれば、角部側壁４ｃに繋がるヒール部５ｂに、胴部４側に向かって突出するように折り返しながら底部周方向に延在する、複数の折り返し段部７を、接地面５ａに向かって間隔を空けて設けたことから、大きな荷重が加わることによって、ヒール部５ｂに永久変形を生じさせるような場合でも、当該ヒール部５ｂに設けた複数の折り返し段部７の相互間が横リブ（高剛性部）８として機能すると共に、当該折り返し段部７がそれぞれ、ヒール部５ｂの変形に対する復元力（ばね効果）を発揮する。このため、ヒール部７に生じる変形は、永久変形することなく復元される。
【００１９】
例えば、ボトル１を充填ラインで用いる場合、長手幅側壁４ａ、短手幅側壁４ｂ及び角部側壁４ｃの底部５側にはそれぞれ、ラインプレッシャ（例えば、コンベアの両側に配置されたガイド部との接触に伴い生じる荷重や、コンベア搬送時の複数のボトルが互いに接触することに伴い生じる荷重）が加わる。このため、胴部４の底部５側に加わるラインプレッシャによって、ヒール部５ｂを基点にしたボトル１の潰れ変形を生じさせることも考えられる。
【００２０】
加えて、本形態では、図１の符号Ｌに示すように、ヒール部５ｂは、胴部４がコンベアの両側に配置されたガイド部に接触する位置よりも低い位置に設けられている。この場合、ボトル１に、ヒール部５ｂを基点にした潰れ変形を生じると、その復元は困難である。
【００２１】
これに対し、本形態の如く、ヒール部５ｂに、胴部４側に向かって突出するように折り返しながら底部周方向に延在する、複数の折り返し段部７を、接地面５ａに向かって間隔を空けて設ければ、胴部４の底部５側に加わるラインプレッシャによって、ヒール部５ｂを基点にしたボトル１の潰れ変形を生じさせるような場合でも、当該ヒール部５ｂに設けた複数の折り返し段部７の相互間が横リブ（高剛性部）８として機能すると共に、当該折り返し段部７がそれぞれ、ヒール部５ｂの変形に対する復元力（ばね効果）を発揮させる。このため、ヒール部５ｂに生じる変形は、永久変形することなく復元される。
【００２２】
従って、本形態によれば、ヒール部５ｂの保形性が向上することで、美観に優れた新規なＰＥＴボトルを提供することができる。
【００２３】
なお、本発明に従えば、折り返し段部７の個数は、２以上であればよく、上述の形態に限定されるものではない。また、折り返し段部７が折り返されることで延在するときの形状は、ヒール部５ｂに対して復元力（ばね効果）を発揮させる形状であれば、本形態に係る、折り返し段部７に限定されることはない。
【００２４】
上述したところは、本発明の一形態を示したにすぎず、本発明に従えば、種々の変更を加えることができる。例えば、胴部４と底部５との間には、段部６を設けることなく、直結した構成のものとすることができる。また、折り返し段部７の周囲の構成も、適宜変更することができる。更に、胴部４もウェスト部４ｗを設けることなく、胴部４の上側及び下側を一体の側壁で構成することができる。ボトル１の多角柱形状も、本形態のように、長手幅側壁と短手幅側壁とで構成された横断面が扁平なものに限定されることなく、長手幅側壁と短手幅側壁の同等の幅を有する胴部幅側壁にし、又は、胴部幅側壁と胴部角側壁との幅を同等とすることで正多角柱形状のものとすることも可能である。更に、ボトル１は、胴部が円柱形状のものとすることもできる。
【産業上の利用可能性】
【００２５】
本発明は、口部から肩部を介して繋がる胴部の下端に、底部が一体に繋がる合成樹脂製容器であれば、様々な容器に適用することができる。
【符号の説明】
【００２６】
１    ＰＥＴボトル（合成樹脂製容器）
２    口部
３    肩部
４    胴部
４ａ  長手幅側壁（胴部幅側壁）
４ｂ  短手幅側壁（胴部幅側壁）
４ｃ  角部側壁（胴部角側壁）
５    底部
５ａ  接地面
６    環状の段部
７    折り返し段部
７ａ  横長部分
７ｂ  端部
７ｃ  端部端縁
８    横リブ
【図１】
0005695380.tif 000002
【図２】
0005695380.tif 000003
【図３】
0005695380.tif 000004